(57)【特許請求の範囲】
【請求項１】
光ファイバケーブルに接続されたフェルールを収容するハウジングと、
前記ハウジングに設けられ、該ハウジングと嵌合する相手ハウジングとの離脱を阻止するロックアームと、
前記ハウジングの上壁部及び後壁部に連続して形成され、ロック解除方向に移動した前記ロックアームが進入するスリットと、
前記フェルールから導出された光ファイバが挿通される凹部を有し、前記フェルールを位置決めするため前記ハウジングのストッパ挿入部に装着されるストッパと、
前記光ファイバが内方に挿通されると共に前記ストッパ挿入部の後方に前記スリットによって左右に分かれて形成された一対の前記後壁部のスリーブ座に抜け止めされる鍔部を有する加締めスリーブと、
前記スリットを挟み対峙する前記ハウジングの一対の前記上壁部にそれぞれ垂設され前記凹部の左内壁面と右内壁面に接して挿入されることで前記スリットによって左右に分かれて形成された前記一対の上壁部の離間を規制する第１の開き防止リブと、
を具備することを特徴とする光コネクタ。
【請求項２】
光ファイバケーブルに接続されたフェルールを収容するハウジングと、
前記ハウジングに設けられ、該ハウジングと嵌合する相手ハウジングとの離脱を阻止するロックアームと、
前記ハウジングの上壁部及び後壁部に連続して形成され、ロック解除方向に移動した前記ロックアームが進入するスリットと、
光ファイバが内方に挿通されると共に前記後壁部に形成されたスリーブ貫通穴を挿通する筒部と、前記筒部に連設されて前記スリットによって左右に分かれて形成された一対の前記後壁部の後壁内面との間でブーツのフランジ部を挟持して前記ハウジングに組み付けられて抜けが規制される挟持用フランジ部とを有する加締めスリーブと、
前記スリットを挟み対峙する前記ハウジングの一対の前記上壁部にそれぞれ垂設され、前記挟持用フランジ部の対向する端縁に形成された開き防止係合部のうち、前記一対の上壁部に対峙する上端縁に形成された前記開き防止係合部に係合することで前記スリットによって左右に分かれて形成された前記一対の上壁部の離間を規制する第２の開き防止リブと、
を具備することを特徴とする光コネクタ。
【請求項３】
請求項１記載の光コネクタであって、
前記第１の開き防止リブには、前記フェルールから導出される光ファイバの通る光ファイバ曲げＲ規制部が形成されていることを特徴とする光コネクタ。
【発明の詳細な説明】
【技術分野】
【０００１】
本発明は、例えば自動車用ＬＡＮ等において、光ファイバ相互の接続に使用される光コネクタに関する。
【背景技術】
【０００２】
自動車用ＬＡＮ等において、光ファイバ相互の接続に使用される光コネクタが知られている（例えば特許文献１参照）。図１３に示すように、この種の光コネクタ５００は、光ファイバケーブル５０２の光ファイバ５０４の先端に固定されるフェルール５０６と、フェルール５０６を収容するハウジング５０８と、ハウジング５０８に組み付けられるストッパ５１０と、板バネ５１２と、加締めスリーブ５１４と、加締めリング５１６と、ブーツ５１８と、を備えている。
【０００３】
ハウジング５０８は、不図示の相手コネクタのハウジングに嵌合するコネクタ嵌合部５２０が先端側に設けられると共に、基端側には、フェルール５０６を収容するフェルール収容空間を備えた構造になっている。ストッパ５１０は、ハウジング５０８のフェルール収容空間に装着されて、ハウジング５０８内におけるフェルール５０６の位置決めと、板バネ５１２の脱落防止を果たす。板バネ５１２は、フェルール収容空間内のフェルール５０６を相手コネクタ側に付勢する。この板バネ５１２は、コネクタ相互の嵌合接続により向かい合うフェルール端面同士の間隙値を低減させて伝送性能を向上させるために設けられる。
【０００４】
ところで、この光コネクタ５００では、光コネクタ５００の全高を低く（低背化）するために、スリット５２６が形成されている。ハウジング５０８の図１４に示す上壁部５２２にロックアーム５２４の下部が進入可能な図１５に示すスリット５２６を設けたことで、ロックアーム５２４の下部が上壁部５２２に対して干渉を回避できる分Ｋ（図１４参照）だけ、光コネクタ５００を低背化することができた。
【先行技術文献】
【特許文献】
【０００５】
【特許文献１】特開２００９−２３７４９６号公報
【発明の概要】
【発明が解決しようとする課題】
【０００６】
しかしながら、上記した従来の光コネクタ５００は、ハウジング５０８の上壁部５２２にスリット５２６を設けたため、例えば光ファイバケーブル５０２に張力Ｆ（図１３参照）が加わった場合、ハウジング５０８がスリット５２６を中心として左右（図１４中の矢印ＬＲ方向）に開いてしまい、ハウジング５０８の内部に収容されている加締めスリーブ５１４が脱落してしまう虞があった。
【０００７】
本発明は上記状況に鑑みてなされたもので、その目的は、光ファイバケーブルに張力が加わった場合のハウジングの開きによる加締めスリーブの脱落が防止できる光コネクタを提供することにある。
【課題を解決するための手段】
【０００８】
本発明に係る上記目的は、下記構成により達成される。
（１）  光ファイバケーブルに接続されたフェルールを収容するハウジングと、前記ハウジングに設けられ、該ハウジングと嵌合する相手ハウジングとの離脱を阻止するロックアームと、前記ハウジングの上壁部及び後壁部に連続してに形成され、ロック解除方向に移動した前記ロックアームが進入するスリットと、前記フェルールから導出された光ファイバが挿通される凹部を有し、前記フェルールを位置決めするため前記ハウジングのストッパ挿入部に装着されるストッパと、前記光ファイバが内方に挿通されると共に前記ストッパ挿入部の後方に前記スリットによって左右に分かれて形成された一対の前記後壁部のスリーブ座に抜け止めされる鍔部を有する加締めスリーブと、前記スリットを挟み対峙する前記ハウジングの一対の前記上壁部にそれぞれ垂設され前記凹部の左内壁面と右内壁面に接して挿入されることで前記スリットによって左右に分かれて形成された前記一対の上壁部の離間を規制する第１の開き防止リブと、を具備することを特徴とする光コネクタ。
【０００９】
上記（１）の構成の光コネクタによれば、ハウジングにおいて、スリットを挟んで対峙する一対の上壁部のそれぞれに第１の開き防止リブが下方に突出して設けられ（垂設され）、ハウジングにストッパが装着されると、ストッパに形成された凹部に第１の開き防止リブが挿入配置される。凹部に配置された一対の第１の開き防止リブは、凹部の左内壁面と右内壁面とにそれぞれ当たる。光ファイバケーブルに張力が加わると、ハウジングがスリットを中心に開こうとするが、スリット左右の上壁部から垂下する第１の開き防止リブが凹部の左内壁面と右内壁面とからの反力によってハウジングの開きを阻止する。
【００１０】
（２）  光ファイバケーブルに接続されたフェルールを収容するハウジングと、前記ハウジングに設けられ、該ハウジングと嵌合する相手ハウジングとの離脱を阻止するロックアームと、前記ハウジングの上壁部及び後壁部に連続して形成され、ロック解除方向に移動した前記ロックアームが進入するスリットと、前記フェルールから導出された光ファイバが内方に挿通されると共に前記後壁部に形成されたスリーブ貫通穴を挿通する筒部と、前記筒部に連設されて前記スリットによって左右に分かれて形成された一対の前記後壁部の後壁内面との間でブーツのフランジ部を挟持して前記ハウジングに組み付けられて抜けが規制される挟持用フランジ部とを有する加締めスリーブと、前記スリットを挟み対峙する前記ハウジングの一対の前記上壁部にそれぞれ垂設され、前記挟持用フランジ部の対向する端縁に形成された開き防止係合部のうち、前記一対の上壁部に対峙する上端縁に形成された前記開き防止係合部に係合することで前記スリットによって左右に分かれて形成された前記一対の上壁部の離間を規制する第２の開き防止リブと、を具備することを特徴とする光コネクタ。
【００１１】
上記（２）の構成の光コネクタによれば、ハウジングにおいて、スリットを挟んで対峙する一対の上壁部のそれぞれに第２の開き防止リブが下方に突出して設けられ（垂設され）、ハウジングに加締めスリーブが装着されると、加締めスリーブの挟持用フランジ部に形成された開き防止係合部に第２の開き防止リブが挿入係止される。開き防止係合部に係止された一対の第２の開き防止リブは、離反方向の移動が規制される。光ファイバケーブルに張力が加わると、ハウジングがスリットを中心に開こうとするが、スリット左右の上壁部から垂下する第２の開き防止リブが開き防止係合部からの反力によってハウジングの開きを阻止する。
【００１２】
（３）  上記（１）の構成の光コネクタであって、前記第１の開き防止リブには、前記フェルールから導出される光ファイバの通る光ファイバ曲げＲ規制部が形成されていることを特徴とする光コネクタ。
【００１３】
上記（３）の構成の光コネクタによれば、ストッパの凹部に進入するための第１の開き防止リブが、光ファイバの導出路を横断するが、第１の開き防止リブに形成される光ファイバ曲げＲ規制部に光ファイバが通されることで、光ファイバが大きく屈曲した迂回経路で導出されることが回避できる。
【発明の効果】
【００１４】
本発明に係る光コネクタによれば、光ファイバケーブルに張力が加わった場合のスリットを中心としたハウジングの開きによる加締めスリーブの脱落を防止することができる。
【図面の簡単な説明】
【００１５】
【図１】本発明の第１実施形態に係る光コネクタの分解斜視図である。
【図２】（ａ）は図１に示したハウジングを斜め下方から見た斜視図、（ｂ）はそのハウジングを斜め上方から見た斜視図、（ｃ）はそのハウジングの片側を切り欠いた斜視図である。
【図３】（ａ）は図２に示したハウジングの下面図、（ｂ）はそのＡ−Ａ断面図、（ｃ）はそのＢ−Ｂ断面図である。
【図４】図１に示したストッパの正面図である。
【図５】ストッパが装着された光コネクタの後部断面図である。
【図６】ストッパの解除時における光コネクタの後部断面図である。
【図７】本発明の第２実施形態に係る光コネクタの分解斜視図である。
【図８】図７に示した光コネクタの外観斜視図である。
【図９】図７に示したハウジングの下面図である。
【図１０】図７に示したストッパの平面図である。
【図１１】図８に示した光コネクタにおける加締めスリーブの挟持用フランジ部が収容された部分の断面図である。
【図１２】図７に示した加締めスリーブの正面図である。
【図１３】従来の光コネクタの分解斜視図である。
【図１４】図１３に示したハウジングの後面図である。
【図１５】図１３に示したハウジングの片側を切り欠いた断面図である。
【発明を実施するための形態】
【００１６】
以下、本発明の実施の形態を図面を参照して説明する。
図１は本発明の第１実施形態に係る光コネクタ１１の分解斜視図である。
本第１実施形態に係る光コネクタ１１は、不図示の相手コネクタに結合されて、例えば自動車用ＬＡＮ等における光ファイバ相互を接続する。光コネクタ１１は、相手コネクタに結合されることで光ファイバケーブル１３の芯線である光ファイバ１５の先端を突き合わせた状態に接続する。
【００１７】
光コネクタ１１は、ハウジング１７に、フェルールアッシー１９を装着する。フェルールアッシー１９は、光ファイバ１５のガイド用のフェルール２１と、光ファイバケーブル１３と、光ファイバケーブル１３とハウジング１７を加締め固定する加締めリング２３と、加締めスリーブ２５と、ファイバ曲げ規制用のブーツ２７と、からなる。なお、本明細書では、説明の都合上、光ファイバケーブル１３の導出側を後、その反対側を前、フェルールアッシー１９が装着されるハウジング１７側を下、その反対側を上とする。
【００１８】
フェルールアッシー１９は、端部処理により、光ファイバ１５を挿通させる加締めスリーブ２５、加締めリング２３、ブーツ２７が装着された後、光ファイバ１５の先端にフェルール２１が組み付けられる。光ファイバ１５の先端に組み付けられたフェルール２１は、接着剤等により、光ファイバ１５に固定される。
【００１９】
光コネクタ１１は、ハウジング１７にフェルールアッシー１９が装着された後、板バネ２９と、ストッパ３１とがさらに装着されて、組み立てられる。板バネ２９は、ストッパ３１に保持された状態で、ストッパ３１と共にハウジング１７に挿入される。
【００２０】
図２（ａ）は図１に示したハウジング１７を斜め下方から見た斜視図、（ｂ）はそのハウジング１７を斜め上方から見た斜視図、（ｃ）はそのハウジング１７の片側を切り欠いた斜視図、図３（ａ）は図２に示したハウジング１７の下面図、（ｂ）はそのＡ−Ａ断面図、（ｃ）はそのＢ−Ｂ断面図、図４は図１に示したストッパ３１の正面図である。
図２に示すように、合成樹脂材料により一体に成形されるハウジング１７は、フェルール２１を挿入する筒状挿入部３３が前部に形成される。本実施の形態では筒状挿入部３３が横並びに二連で設けられる。筒状挿入部３３の後方にはストッパ挿入部３５が形成される。筒状挿入部３３の上面には相手コネクタのハウジング（図示せず）との離脱を阻止するロックアーム３７の基端が接続される。ロックアーム３７は上面に係止突起３９を有し、操作先端部４１が自由端となる。
【００２１】
ロックアーム３７は、操作先端部４１がハウジング１７の上壁部４３に向かって接近するように弾性変位されることで、ロックが解除される。ハウジング１７の上壁部４３には、操作先端部４１の下方が進入するスリット４５が形成されている。スリット４５は、ロック解除方向に移動したロックアーム３７の進入を許容する。光コネクタ１１では、スリット４５を設けたことで、ロックアーム３７の下部が上壁部４３に対して干渉を回避できる分だけ、光コネクタ１１の低背化が達成されている。
【００２２】
ストッパ挿入部３５の後方には、加締めスリーブ２５の鍔部４７（図１参照）を抜け止めする図３に示すスリーブ座４９が形成されている。スリーブ座４９の背面はハウジング１７の後壁部５１となる。上壁部４３と、ストッパ挿入部３５と、スリーブ座４９と、後壁部５１とは、スリット４５によって左右に分かれている。すなわち、ハウジング１７の一対の上壁部４３は、スリット４５を挟んで対峙している。
【００２３】
図４に示すように、ストッパ３１の両側には起立突起３１ａが起立し、起立突起３１ａは先端が弾性変位可能となる。起立突起３１ａは、両側の係止部５３が、ハウジング１７の内面両側に形成された側板段部５５（図２参照）に係止する。側板段部５５に起立突起３１ａが係止してハウジング１７に装着されたストッパ３１は、フェルール２１を位置決めするとともに、板バネ２９の脱落を規制する。板バネ２９は、フェルール２１を相手コネクタ側に付勢する。この板バネ２９は、コネクタ相互の嵌合接続により向かい合うフェルール端面同士の間隙値を低減させて伝送性能を向上させる。
【００２４】
ところで、ストッパ３１には、左右の起立突起３１ａの内側にフェルール２１から導出された光ファイバ１５が挿通される凹部５７が形成される。この凹部５７は、ストッパ３１がストッパ挿入部３５に装着されると、上壁部４３の下面に対向する。この凹部５７の対向するそれぞれの上壁部４３の下面には、凹部５７に挿入される開き防止リブ（第１の開き防止リブ）５９（図２，図３参照）が下向きに突出して設けられ（垂設され）ている。凹部５７に進入するそれぞれの開き防止リブ５９は、凹部５７の左内壁面６１と右内壁面６３に接して挿入されることで一対の上壁部４３の離間を規制するように働く。
【００２５】
また、この開き防止リブ５９には、下部の隣接する内側角部を切り欠いた光ファイバ曲げＲ規制部６５が形成されている。この光ファイバ曲げＲ規制部６５には、フェルール２１から導出される光ファイバ１５が通る。光コネクタ１１のハウジング１７では、ストッパ３１に形成された凹部５７に進入するための開き防止リブ５９が、光ファイバ１５の導出路を横断するが、開き防止リブ５９に形成される光ファイバ曲げＲ規制部６５に光ファイバ１５が通されることで、光ファイバ１５が大きく屈曲した迂回経路で導出されることが回避されるようになされている。
【００２６】
次に、上記構成を有する光コネクタ１１の作用を説明する。
図５はストッパ３１が装着された光コネクタ１１の後部断面図、図６はストッパ３１の解除時における光コネクタ１１の後部断面図である。
光コネクタ１１は、フェルールアッシー１９が組み立てられた後、フェルールアッシー１９のフェルール２１が筒状挿入部３３に挿入される。次いで、図５に示すように、ハウジング１７のストッパ挿入部３５に、板バネ２９を保持したストッパ３１が装着される。ストッパ３１は、フェルール２１と加締めスリーブ２５との間に位置する。したがって、フェルール２１から導出された光ファイバ１５は、開き防止リブ５９の光ファイバ曲げＲ規制部６５を通ることになる。これにより、光ファイバ１５の過度曲げによる破断が防止されている。
【００２７】
光ファイバ１５の後方では、加締めスリーブ２５がスリーブ座４９に当接して配置されている。そして、スリット４５を挟んで対峙する一対の上壁部４３のそれぞれには開き防止リブ５９が下方に突出して設けられているので、ハウジング１７にストッパ３１が装着されると、ストッパ３１に形成された凹部５７に開き防止リブ５９が挿入配置される。凹部５７に配置された一対の開き防止リブ５９は、凹部５７の左内壁面６１と右内壁面６３とに当たる。
【００２８】
この状態で、ハウジング１７の外部で光ファイバケーブル１３に引っ張り方向の外力が作用すると、ハウジング１７の左右の後壁部５１（図２参照）がスリット４５を中心に開こうとする。この際、スリット左右の上壁部４３から垂下する開き防止リブ５９が凹部５７の左内壁面６１と右内壁面６３とからの反力によってハウジング１７の開きを阻止することになる。このように、ハーネステンションがかかった時など、加締めスリーブ２５が引っ張られ、ハウジング１７がスリット４５を中心に開こうとしても、ストッパ３１に設けられた凹部５７に当接している開き防止リブ５９によって開き方向の力が抑制され、ハウジング１７の開きが阻止されることになる。
【００２９】
また、易解体性を実現するために、ストッパ３１は図６に示す解除治具６７でストッパ３１の起立突起３１ａを外側から押すことで解除可能となるが、解除作業時に押し過ぎによる起立突起３１ａの破壊をハウジング１７に設けられた開き防止リブ５９によって防止することもできるようになる。
【００３０】
次に、本発明の第２実施形態に係る光コネクタ７１を説明する。
図７は本発明の第２実施形態に係る光コネクタ７１の分解斜視図、図８は図７に示した光コネクタ７１の外観斜視図、図９は図７に示したハウジング７５の下面図、図１０は図７に示したストッパ３１の平面図、図１１は図８に示した光コネクタ７１における加締めスリーブ７３の挟持用フランジ部８７が収容された部分の断面図、図１２は加締めスリーブ７３の正面図である。なお、上述した第１実施形態に係る光コネクタ１１と同等の部材、部位には同一の符号を付し重複する説明は省略する。
【００３１】
本第２実施形態に係る光コネクタ７１は、剛体である加締めスリーブ７３に開き防止機能を持たせた構造となっている。この開き防止機能は、上記第１実施形態の開き防止リブ５９と凹部５７とによる構造と併用してもよく、また、単独で用いてもよい。本第２実施形態は双方の構造が併用される場合を図例として示している。
【００３２】
光コネクタ７１は、図７及び図８に示すように、ハウジング７５に、フェルールアッシー７７を装着する。フェルールアッシー７７は、光ファイバ１５のガイド用のフェルール２１と、光ファイバケーブル１３と、光ファイバケーブル１３を加締め固定する加締めリング７９（図１１参照）と、加締めスリーブ７３と、ファイバ曲げ規制用のブーツ８１と、からなる。すなわち、本第２実施形態の光コネクタ７１は、上記第１実施形態の光コネクタ１１に対して、ハウジング７５、フェルールアッシー７７、加締めリング７９、加締めスリーブ７３及びブーツ８１の形態が異なる。
【００３３】
ハウジング７５の後壁部５１には、図９に示すように、スリーブ貫通穴８３が形成される。スリーブ貫通穴８３からは、フェルール２１に接続した光ファイバ１５が導出される。この光ファイバ１５とスリーブ貫通穴８３との間には、加締めスリーブ７３が介在する。
【００３４】
加締めスリーブ７３は、硬質樹脂材料よりなり、光ファイバ１５が内方に挿通されると共にハウジング７５の後壁部５１に形成されたスリーブ貫通穴８３に挿通される筒部８５（図１１参照）を有する。筒部８５の前方には矩形状の挟持用フランジ部８７が連なった状態に接続して設けられ（連設され）ている。筒部８５と挟持用フランジ部８７とは、一体成形される。挟持用フランジ部８７は、所定の厚みを有する硬質樹脂材料よりなることで、ハウジング７５に比べて変形の小さい剛体となっている。
【００３５】
挟持用フランジ部８７は、図９に示すように、ハウジング７５の後壁内面８９に対面するように配置される。すなわち、加締めスリーブ７３は、筒部８５がスリーブ貫通穴８３に挿通されて、挟持用フランジ部８７が後壁内面８９に対面するようにしてハウジング７５に組み付けられる。このようにして組み付けられた加締めスリーブ７３の筒部８５に、光ファイバ１５は挿通される。
【００３６】
図１２に示すように、挟持用フランジ部８７の上下端縁（端縁）９１には、複数の開き防止係合部９３が形成される。本実施形態では上下端縁９１に一対ずつの合計４つの開き防止係合部９３が形成されているが、ハウジング７５に装着された際の挟持用フランジ部８７における上端縁９１の開き防止係合部９３には、図１１に示すように、ハウジング７５に形成された開き防止リブ（第２の開き防止リブ）９５が係合する。開き防止リブ９５は、スリット４５を挟み対峙するハウジング７５の一対の上壁部４３にそれぞれ垂設される。開き防止リブ９５は、挟持用フランジ部８７の対向する上端縁９１に形成された開き防止係合部９３に係合することで、一対の上壁部４３の離間を規制するよう作用する。
【００３７】
なお、光ファイバケーブル１３は、光ファイバ１５が加締めスリーブ７３の筒部８５から導出される一方、筒部８５の外周に外被９７（図１１参照）が被せられる。筒部８５に被せられた外被９７は、その外側から加締めリング７９が加締められることで、筒部８５に固定される。これにより、光ファイバケーブル１３と加締めスリーブ７３とは一体的に固定される。光ファイバケーブル１３が引っ張られると、挟持用フランジ部８７が後壁内面８９に当接して加締めスリーブ７３の抜けが規制される。
【００３８】
ブーツ８１は、ゴム等の軟質材からなり、光ファイバケーブル１３及び加締めリング７９の外周に挿入される保護部９９を有する。保護部９９の周囲には、保護部９９に適宜な屈曲性を付与する複数の周溝１０１が形成される。ブーツ８１は、スリーブ貫通穴８３を通過して保護部９９に連設される矩形状のフランジ部１０３を有している。ブーツ８１は、このフランジ部１０３が、加締めスリーブ７３の挟持用フランジ部８７と、ハウジング７５の後壁内面８９とに挟まれて、ハウジング７５に組み付けられる。
【００３９】
また、図１０に示すように、ストッパ３１には、係止部５３を挟んで板バネ収容空間１０５の反対側に、カバー片１０７が突出して成形される。カバー片１０７は、図１１に示すように、ハウジング７５の後部下面を塞ぐことで、加締めスリーブ７３の離脱を規制する。カバー片１０７には一対の凸部１０９が形成され、凸部１０９は開き防止リブ９５が嵌合していない挟持用フランジ部８７の下端縁９１側の開き防止係合部９３に嵌合する。
【００４０】
次に、上記構成を有する光コネクタ７１の作用を説明する。
本第２実施形態の光コネクタ７１によれば、ハウジング７５において、スリット４５を挟んで対峙する一対の上壁部４３のそれぞれに開き防止リブ９５が下方に突出して設けられており、ハウジング７５に加締めスリーブ７３が装着されると、加締めスリーブ７３の挟持用フランジ部８７に形成された開き防止係合部９３に開き防止リブ９５が挿入係止される。開き防止係合部９３に係止された一対の開き防止リブ９５は、離反方向の移動が規制される。光ファイバケーブル１３に張力が加わると、ハウジング７５がスリット４５を中心に開こうとするが、スリット４５左右の上壁部４３から垂下する開き防止リブ９５が開き防止係合部９３からの反力によってハウジング７５の開きを阻止する。
【００４１】
加締めスリーブ７３は剛体であるため、大きな力が加わった際にもハウジング７５の開きを抑制することが可能となる。また、この構成によれば、ストッパ３１のロック剛性を高くする必要がないため、組み付け取り外し作業性を低下させることがない。さらに、開き防止係合部９３を加締めスリーブ７３の上側と下側（対向する上下端縁９１）に対称に設けることで、組み付け作業時に、組み付け方向に注意を払う必要がなくなる。
【００４２】
したがって、上記実施の形態に係る光コネクタ１１又は光コネクタ７１によれば、光ファイバケーブル１３に張力が加わった場合のスリット４５を中心としたハウジング１７又はハウジング７５の開きによる加締めスリーブ２５及び加締めスリーブ７３の脱落を防止することができる。
【００４３】
尚、本発明の光コネクタに係る光ファイバケーブル、フェルール、ハウジング、ロックアーム、スリット、凹部、第１及び第２の開き防止リブ、ストッパ、加締めスリーブ及び開き防止係合部等の構成は、上記実施形態の構成に限定されるものではなく、本発明の主旨に基づいて種々の形態を採りうることは云うまでもない。
【符号の説明】
【００４４】
１１，７１  光コネクタ
１３  光ファイバケーブル
１５  光ファイバ
１７，７５  ハウジング
２１  フェルール
３１  ストッパ
３７  ロックアーム
４３  上壁部
４５  スリット
５１  後壁部
５７  凹部
５９  開き防止リブ（第１の開き防止リブ）
６１  左内壁面
６３  右内壁面
６５  光ファイバ曲げＲ規制部
７３  加締めスリーブ
８３  スリーブ貫通穴
８５  筒部
８７  挟持用フランジ部
８９  後壁内面
９１  上下端縁（端縁）
９３  開き防止係合部
９５  開き防止リブ（第２の開き防止リブ）
【図１】
0005771075.tif 000002
【図２】
0005771075.tif 000003
【図３】
0005771075.tif 000004
【図４】
0005771075.tif 000005
【図５】
0005771075.tif 000006
【図６】
0005771075.tif 000007
【図７】
0005771075.tif 000008
【図８】
0005771075.tif 000009
【図９】
0005771075.tif 000010
【図１０】
0005771075.tif 000011
【図１１】
0005771075.tif 000012
【図１２】
0005771075.tif 000013
【図１３】
0005771075.tif 000014
【図１４】
0005771075.tif 000015
【図１５】
0005771075.tif 000016